(57)【要約】【課題】受信信号の総ＴＳデータ数の情報を生成し、後段のバックエンド処理部で受信信号に応じて最適な信号処理を可能とし、消費電力を低減できるＯＦＤＭ受信装置を提供することである。【解決手段】パイロット信号及び既知の変調形式の信号を周波数方向に配置し、異なった周波数帯域幅の信号が混在した複数の信号を周波数方向に配置するように連結送信されたＯＦＤＭ信号を受信するＯＦＤＭ受信装置は、チューナ手段１０２と、直交検波手段１０４と、フーリエ変換手段１０５と、データ復調手段１０６と、誤り訂正手段１０７と、フーリエ変換出力から、受信信号の複数の信号の周波数方向のパイロットキャリア配置パターンを検出し、パイロットキャリア配置パターンの連結状態から前述の複数の信号の存在を判定し、その信号数を示す情報を出力する配置パターン検出手段(２０５０〜２０５７及び２０７)と、を備える。【選択図】図１
2010148018.tif 000002
【特許請求の範囲】
【請求項１】
パイロット信号及び既知の変調形式の信号を周波数方向に配置することによって、異なった周波数帯域幅の信号が混在した複数の信号を周波数方向に配置するように連結して送信された直交周波数分割多重（以下、ＯＦＤＭ）信号を受信するＯＦＤＭ受信装置において、
送信信号から前記複数の信号を含む所望の周波数帯域のＯＦＤＭ信号を選局するチューナ手段と、
このチューナ手段の出力を直交検波し、ベースバンド信号に変換する直交検波手段と、
前記直交検波手段の出力をフーリエ変換により周波数領域の信号に変換するフーリエ変換手段と、
このフーリエ変換手段の出力を復調し、復調データを得るデータ復調手段と、
前記データ復調手段の出力を誤り訂正する誤り訂正手段と、
前記フーリエ変換手段の出力から、受信信号の前記複数の信号のパイロット信号のサブキャリア配置パターンを検出し、当該パイロット信号のサブキャリア配置パターンの連結状態から前記複数の信号の連結状態を判定し、その信号数を表す情報を出力する配置パターン検出手段と、
を具備したことを特徴とするＯＦＤＭ受信装置。
【請求項２】
パイロット信号及び既知の変調形式の信号を周波数方向に配置することによって、異なった周波数帯域幅の信号が混在した複数の信号を周波数方向に配置するように連結して送信された直交周波数分割多重（以下、ＯＦＤＭ）信号を受信するＯＦＤＭ受信装置において、
送信信号から前記複数の信号を含む所望の周波数帯域のＯＦＤＭ信号を選局するチューナ手段と、
このチューナ手段の出力を直交検波し、ベースバンド信号に変換する直交検波手段と、
前記直交検波手段の出力をフーリエ変換により周波数領域の信号に変換するフーリエ変換手段と、
このフーリエ変換手段の出力を復調し、復調データを得るデータ復調手段と、
前記データ復調手段の出力を誤り訂正する誤り訂正手段と、
前記フーリエ変換手段の出力から、受信信号の前記複数の信号の周波数方向のパイロット信号のサブキャリア配置パターンを検出する配置パターン検出手段と、
前記フーリエ変換手段の出力を入力し、前記配置パターン検出手段で検出した前記周波数方向のパイロット信号のサブキャリア配置パターンを用いてフーリエ変換出力からパイロット信号を復号する一方、前記周波数方向のパイロット信号のサブキャリア配置パターンの連結状態から前記複数の信号の連結状態を判定し、その信号数を表す情報を出力するパイロット信号復号手段と、
を具備したことを特徴とするＯＦＤＭ受信装置。
【請求項３】
前記配置パターン検出手段は、
前記フーリエ変換手段の出力をシンボル間で遅延検波を行う遅延検波手段と、
前記遅延検波手段の出力を各サブキャリアごとにシンボル間で積分処理を行うシンボル間平均手段と、
前記パイロット信号の複数のサブキャリア配置パターンを発生するパターン発生手段と
前記パターン発生手段からの前記パイロット信号の複数のサブキャリア配置パターンと前記シンボル間平均手段の出力との相関を検出する相関検出手段と、
前記相関検出手段からの複数のパターン相関検出結果から、前記パイロット信号のサブキャリア配置パターンを検出する一方、前記周波数方向のパイロット信号のサブキャリア配置パターンの連結状態から前記複数の信号の連結状態を判定し、その信号数を表す情報を出力する判定手段と、
を具備したことを特徴とする請求項１に記載のＯＦＤＭ受信装置。
【請求項４】
前記配置パターン検出手段は、
前記フーリエ変換手段の出力をシンボル間で遅延検波を行う遅延検波手段と、
前記遅延検波手段の出力を各サブキャリアごとにシンボル間で積分処理を行うシンボル間平均手段と、
前記パイロット信号の複数のサブキャリア配置パターンを発生するパターン発生手段と
前記パターン発生手段からの前記パイロット信号の複数のサブキャリア配置パターンと前記シンボル間平均手段の出力との相関を検出する相関検出手段と、
前記相関検出手段からの複数のパターン相関検出結果から、前記パイロット信号のサブキャリア配置パターンを判定する判定手段と、
を具備したことを特徴とする請求項２に記載のＯＦＤＭ受信装置。
【請求項５】
前記パイロット信号として、そのサブキャリアがＢＰＳＫあるいはＤＢＰＳＫ変調されたパイロット信号が受信され、その他のデータキャリアはＱＰＳＫ以上の多値でデジタル変調されたＯＦＤＭ変調信号を受信する方式の場合は、前記前記遅延検波手段の後段には、前記遅延検波手段において遅延検波処理のあと複素の２乗演算によりＢＰＳＫ変調あるいはＤＢＰＳＫ変調の変調除去を行う変調除去手段が設けられることを特徴とする請求項３又は４に記載のＯＦＤＭ受信装置。
【発明の詳細な説明】
【技術分野】
【０００１】
本発明は、ＯＦＤＭ（直交周波数分割多重）変調方式による伝送信号を受信するＯＦＤＭ受信装置に関し、特に１セグメント信号と３セグメント信号が混在するように連結送信されたＯＦＤＭ信号を受信するＯＦＤＭ受信装置に関する。
【背景技術】
【０００２】
近年、音声信号および映像信号の伝送においてデジタル変調方式の開発が盛んに行われている。特に、デジタル地上放送においては、マルチパス妨害に強い、周波数利用効率が高い、等の特徴を有する直交周波数分割多重（以下、ＯＦＤＭ）変調方式が注目されている。
【０００３】
ところで、国内の地上デジタル音声放送では、数百本単位のサブキャリア（これをセグメントと呼ぶ）を複数個連結して送信することが考えられている。また、１セグメントの単一階層、或いは３セグメントを使用して１セグメントの低階層（上記１セグメントの単一階層と互換）と２セグメントの高階層による２階層の階層伝送も検討されている。１セグメントの単一階層の信号、３セグメントを使用した２階層伝送の信号とも、それぞれ１チャンネルを構成している。従って、３セグメントを使用した２階層伝送の信号は、３セグメント分の広帯域であるため、１セグメントの単一階層の信号よりも３倍広い帯域を有しており、１チャンネル分の情報としてそれだけ多くの情報を伝送できることになる。
【０００４】
このように地上デジタル音声放送は、１セグメント信号と３セグメント信号が混在するように連結して送信され、受信装置ではその連結送信されたＯＦＤＭ信号(図６参照)に含まれている全てのセグメント若しくはその内の所定数のセグメントをまとめて受信することが可能である。例えば、１３セグメント以上の連結送信信号をチューナで１３セグメント分に相当する帯域を抜き取り、１３セグメント分をまとめてＯＦＤＭ復調することもできる。このとき、ＯＦＤＭ受信装置のフロントエンド部の出力信号であるＴＳデータ出力は、１３セグメント分の複数のＴＳデータを映像デコード及び音声デコードするバックエンド処理部へ出力される。バックエンド処理部では１３セグメント分のＴＳデータのうちの所望のＴＳデータのみを処理することもできるし、全てのＴＳデータを処理することも可能である。
【０００５】
しかしながら、バックエンド処理部で全てのＴＳデータを処理するときに１セグメント信号と３セグメント信号が混在すると、受信総セグメント数が総ＴＳデータ数(１ＴＳデータは１セグメントに対応している)とならず、予め受信信号のチャンネル数に対応するセグメント配置が分かっていないと総ＴＳデータ数を把握できず最適な信号処理ができない。このためバックエンド処理部では冗長な信号処理となり、信号処理時間及び消費電力を増大させる問題を生じる。
【０００６】
上記のような地上デジタル音声放送に関するＯＦＤＭ受信装置の先行技術としては、例えば特許文献１に記載されているものがある。  
特許文献１は、１セグメント信号と３セグメント信号が混在するように連結送信されたＯＦＤＭ信号を１セグメント専用受信機で受信する場合に、３セグメント信号による２階層伝送を構成する１つの低階層の信号と２つの高階層の信号のうちの２つの高階層の信号が１セグメント専用受信機で受信できないことを、短時間で検出することによって、次チャンネルへの移行を速くして高速にチャンネルをサーチしていくＯＦＤＭ受信装置を提供している。
【０００７】
しかしながら、特許文献１には、上述したＯＦＤＭ復調後のバックエンド処理部で全てのＴＳデータを処理するときに、１セグメント信号と３セグメント信号が混在すると、受信総セグメント数を把握できても、受信総セグメント数と総ＴＳデータ数とは必ずしも一致しないため、バックエンド処理部が総ＴＳデータ数を把握できず、冗長な信号処理となり、信号処理時間及び消費電力を増大させる、という問題を解決できるものではなかった。
【特許文献１】特開２００４−１４０６４８号公報
【発明の開示】
【発明が解決しようとする課題】
【０００８】
そこで、本発明は上記の問題に鑑み、受信信号のセグメントごとのパイロット信号のサブキャリア配置パターンを検出して総ＴＳデータ数の情報を生成することができ、後段のバックエンド処理部では受信信号に応じて最適な信号処理を可能とし、信号処理時間及び消費電力を低減することが可能なＯＦＤＭ受信装置を提供することを目的とするものである。
【課題を解決するための手段】
【０００９】
本発明の一態様によれば、パイロット信号及び既知の変調形式の信号を周波数方向に配置することによって、異なった周波数帯域幅の信号が混在した複数の信号を周波数方向に配置するように連結して送信された直交周波数分割多重（以下、ＯＦＤＭ）信号を受信するＯＦＤＭ受信装置において、送信信号から前記複数の信号を含む所望の周波数帯域のＯＦＤＭ信号を選局するチューナ手段と、このチューナ手段の出力を直交検波し、ベースバンド信号に変換する直交検波手段と、前記直交検波手段の出力をフーリエ変換により周波数領域の信号に変換するフーリエ変換手段と、このフーリエ変換手段の出力を復調し、復調データを得るデータ復調手段と、前記データ復調手段の出力を誤り訂正する誤り訂正手段と、前記フーリエ変換手段の出力から、受信信号の前記複数の信号のパイロット信号のサブキャリア配置パターンを検出し、当該パイロット信号のサブキャリア配置パターンの連結状態から前記複数の信号の連結状態を判定し、その信号数を表す情報を出力する配置パターン検出手段と、を具備したことを特徴とするＯＦＤＭ受信装置が提供される。
【００１０】
本発明の他の態様によれば、パイロット信号及び既知の変調形式の信号を周波数方向に配置することによって、異なった周波数帯域幅の信号が混在した複数の信号を周波数方向に配置するように連結して送信された直交周波数分割多重（以下、ＯＦＤＭ）信号を受信するＯＦＤＭ受信装置において、送信信号から前記複数の信号を含む所望の周波数帯域のＯＦＤＭ信号を選局するチューナ手段と、このチューナ手段の出力を直交検波し、ベースバンド信号に変換する直交検波手段と、前記直交検波手段の出力をフーリエ変換により周波数領域の信号に変換するフーリエ変換手段と、このフーリエ変換手段の出力を復調し、復調データを得るデータ復調手段と、前記データ復調手段の出力を誤り訂正する誤り訂正手段と、前記フーリエ変換手段の出力から、受信信号の前記複数の信号の周波数方向のパイロット信号のサブキャリア配置パターンを検出する配置パターン検出手段と、前記フーリエ変換手段の出力を入力し、前記配置パターン検出手段で検出した前記周波数方向のパイロット信号のサブキャリア配置パターンを用いてフーリエ変換出力からパイロット信号を復号する一方、前記周波数方向のパイロット信号のサブキャリア配置パターンの連結状態から前記複数の信号の連結状態を判定し、その信号数を表す情報を出力するパイロット信号復号手段と、を具備したことを特徴とするＯＦＤＭ受信装置が提供される。
【発明の効果】
【００１１】
本発明によれば、受信信号のセグメントごとのパイロット信号のサブキャリア配置パターンを検出して総ＴＳデータ数の情報を生成することができ、後段のバックエンド処理部では受信信号に応じて最適な信号処理を可能とし、信号処理時間及び消費電力を低減することが可能なＯＦＤＭ受信装置を実現することができる。
【発明を実施するための最良の形態】
【００１２】
発明の実施の形態について図面を参照して説明する。  
［第１の実施形態］
以下、図を参照して本発明の実施の形態を詳細に説明する。  
図１乃至図５を参照して本発明の実施形態を説明する前に、地上デジタル音声放送に用いられている図６に示すＯＦＤＭ信号について説明する。
【００１３】
図６に示すように、地上デジタル音声放送では、１セグメント信号と３セグメント信号が混在するように連結送信し、その連結送信ＯＦＤＭ信号を所定の複数セグメント(全てのセグメント数であってもよい)をまとめて受信することが可能である。連続可能なセグメント数は１４セグメント(そのうち１セグメントはガードバンド)である。ＯＦＤＭ受信装置では、１３セグメントまとめてＯＦＤＭ復調することもでき、ＯＦＤＭ受信装置の出力であるＴＳデータ出力は１３セグメント分に相当する複数のＴＳデータをバックエンド処理部へ出力する。バックエンド処理部では１３セグメント分の複数のＴＳデータに対して映像デコード及び音声デコードを行うが、複数のＴＳデータのうち所望のＴＳデータのみを処理することもできるし、全てのＴＳデータを処理することも可能である。
【００１４】
デジタル放送の伝送帯域は、６ＭＨｚであり、これは１４セグメント(そのうち１セグメントはガードバンド)分の帯域に相当する。現在の地上デジタル音声放送の試験放送では、１４セグメントのうちの８セグメントを使用している。従って、４ＭＨｚの帯域のみを使用していることになる。図６に示すように、８セグメントのうち、１セグメントで１チャンネル(１放送番組)を送信する１セグメント信号が５個、３セグメントで１チャンネルを送信する３セグメント信号が１個ある。
【００１５】
１セグメントはモード３では４３２本のサブキャリアを有し、サブキャリア４３２本の中にＴＭＣＣ(Transmission and Multiplexing Configuration Controlの略)とＡＣ(Auxiliary Channelの略)のサブキャリアが１２本ある。ＴＭＣＣは受信機に必要な階層伝送，変調方式，誤り訂正などの制御情報であり、ＡＣは付加的な情報であり主に放送局同士が業務用に用いている。以下、ＴＭＣＣとＡＣのサブキャリアをそれぞれＴＭＣＣキャリア、ＡＣキャリアと呼び、両者を併せてパイロットキャリアと呼ぶことにする。この１２本のパイロットキャリアのうち、ＴＭＣＣキャリアが４本、ＡＣキャリアが８本ある。１セグメントを構成するサブキャリアには、０〜４３１の番号が付けられている。図６に示す８個のセグメントには、各セグメントに含まれるパイロットキャリアの配置パターン(１セグメント内において１２本のパイロットキャリアがそれぞれ周波数軸上の何番目に配置されているかによって決まるパターン)によって、３種類のパターンがある。これらを、パターン０、パターン１、パターン２と表記する。
【００１６】
図６では、太線は１セグメント内におけるパイロットキャリアの配置パターンを模式的に示している。実際には１２本のパイロットキャリアがあるが、簡単化のために、３本の太線のみでパイロットキャリアの配置の違いを表現している。パターン０，１，２によって異なったサブキャリア間隔のパターンとなっていることを示している。
【００１７】
従って、パターン０，１，２毎にパイロット信号のサブキャリア配置(以下、パイロットキャリア配置という)が異なっていることから、セグメント毎にパイロットキャリア配置のパターンを検出することにより、パターン０，１，２を判別することができる。さらに、１セグメント信号と３セグメント信号とでは、３セグメント信号については図６の図示横方向の周波数軸上で３つの異なったパターン１，０，２が連続的に並んで構成されているので、パターン１，０，２の連続的な配列順序によって、３セグメント信号を判別することができる。
【００１８】
[第１の実施形態]
図１は本発明の第１の実施形態のＯＦＤＭ受信装置の構成を示すブロック図である。
【００１９】
図１に示すＯＦＤＭ受信装置１００は、パイロット信号及び既知の変調形式の信号を周波数方向に配置することによって、異なった周波数帯域幅の信号が混在した複数の信号(これらは１放送番組を送信する１チャンネル分の信号に相当している)を周波数方向に配置するように連結して送信された直交周波数分割多重（以下、ＯＦＤＭ）信号を受信する装置である。
【００２０】
ＯＦＤＭ受信装置１００は、図示しないアンテナなどからのＯＦＤＭ連結送信信号が入力される入力端子１０１と、ＯＦＤＭ連結送信信号から複数の信号を含む所望の周波数帯域のＯＦＤＭ信号を選局するチューナ手段としてのチューナ１０２と、チューナ１０２の出力を直交検波し、ベースバンド信号に変換する直交検波手段としての直交検波回路１０４と、直交検波回路１０４の出力をフーリエ変換により周波数領域の信号に変換するフーリエ変換手段としてのＦＦＴ回路１０５と、ＦＦＴ回路１０５の出力を復調し、復調データを得るデータ復調手段としてのデータ復調回路１０６と、データ復調回路１０６の出力を誤り訂正する誤り訂正手段としての誤り訂正回路１０７と、直交検波回路１０４からの直交検波出力とＦＦＴ回路１０５からのＦＦＴ出力を入力し、ＯＦＤＭ復調に必要なタイミング同期信号を再生し、またクロック再生を行い、各回路に必要な復調タイミング信号と再生クロックを供給する一方、キャリア周波数誤差検出を行い、周波数誤差をキャンセルするような周波数制御信号を生成して直交検波回路１０４に供給する同期再生回路１１０と、ＦＦＴ回路１０５の出力から、受信信号の複数の信号の周波数方向のパイロットキャリア配置パターンを検出し、周波数方向のパイロットキャリアの配置パターンの連結状態から前述の複数のチャンネル信号のそれぞれを判定し、その信号数を表す情報を出力する配置パターン検出手段としてのパイロット配置検出回路１１１と、ＦＦＴ回路１０５からの出力を入力し、パイロット配置検出回路１１１で検出したパイロットキャリア配置パターンを用いてＦＦＴ出力からＴＭＣＣ信号を取り出すことによって復号するＴＭＣＣ復号回路１１２と、を備えている。
【００２１】
以下に、動作を説明する。  
入力端子１０１には図示しないアンテナから連結送信されたＯＦＤＭ変調波信号が供給され、チューナ１０２に入力される。チューナ１０２で所望の周波数のＯＦＤＭ信号が選局され、中間周波数帯の信号（以下、ＩＦ信号という）に変換される。このときチューナ１０２では連結送信されたＯＦＤＭ変調波信号の複数のセグメント帯域をまとめて選局する。
【００２２】
このＩＦ信号は直交検波回路１０４において直交検波され、後述の同期再生回路１１０からの周波数制御信号により周波数変換されてベースバンドの同相検波軸信号（Ｉ信号）と直交検波軸信号（Ｑ信号）に変換される。直交検波回路１０４の出力(時間領域の信号)はＦＦＴ回路１０５に入力される。
【００２３】
このＦＦＴ回路１０５は入力されたＯＦＤＭ変調波の中でガード期間を除いた有効シンボルに対してＦＦＴ演算を行う。ＦＦＴ回路１０５の出力(周波数領域の信号)はデータ復調回路１０６に供給される。データ復調回路１０６で後述のＴＭＣＣ復号回路１１２からのＴＭＣＣ信号に基づいてＯＦＤＭ信号にあらかじめ挿入されている等化用パイロット信号を用いて伝搬路歪を推定して補償し、ＦＦＴ回路１０５の出力が等化処理されて復調される。或いは、差動変調されて送信される場合はデータ復調回路１０６でＦＦＴ回路１０５の出力が遅延検波されて復調される。
【００２４】
このデータ復調回路１０６の出力は誤り訂正回路１０７に入力され、ＴＭＣＣ復号回路１１２からの情報に基づいて誤り訂正される。誤り訂正された信号はＴＳデータとして出力端子１０８から図示しないバックエンド処理部へ出力される。バックエンド処理部ではＴＳデータに対して映像デコード及び音声デコードが行われる。
【００２５】
同期再生回路１１０では、直交検波回路１０４の出力である時間領域の信号とＦＦＴ回路１０５の出力である周波数領域の信号を入力し、ＯＦＤＭ復調に必要なタイミング同期信号を再生し、またクロック再生を行い、各回路に必要なタイミング同期信号である復調タイミング信号と再生クロックとを生成する。さらに、同期再生回路１１０は、キャリア周波数誤差検出を行い、周波数誤差をキャンセルするような周波数制御信号を直交検波回路１０４に供給する。
【００２６】
タイミング同期再生およびクロック再生には時間領域のＯＦＤＭ信号のガード期間の相関を利用した方法などがあり、キャリア周波数誤差検出には周波数領域のＯＦＤＭ信号のパイロットキャリア配置を利用したものと上記ガード期間の相関を利用したものを組み合わせる方法などが知られている。
【００２７】
また、ＦＦＴ回路１０５の出力(周波数領域の信号)はパイロット配置検出回路１１１に入力される。パイロット配置検出回路１１１では、受信信号のセグメントごとにパイロットキャリア配置を検出して１セグメント信号か３セグメント信号かを判定し、ＴＭＣＣ復号回路１１２にＴＭＣＣキャリア配置を知らせるためのパイロット配置情報を出力し、バックエンド処理部に総ＴＳデータ数を知らせるためのセグメント配置情報を出力する。  
このセグメント配置情報により後段のバックエンド処理部は総ＴＳデータ数を把握できるためそれに応じた信号処理を行うことができる。
【００２８】
図２は、図１におけるパイロット配置検出回路１１１の一構成例を示すブロック図である。  
パイロット配置検出回路１１１は、ＦＦＴ回路１０５の出力をシンボル間で遅延検波を行う、つまり、１シンボル前の信号と次のシンボルの信号との複素乗算を行う遅延検波回路２０２と、遅延検波回路２０２の出力を各サブキャリアごとにシンボル間で積分処理を行うシンボル間平均回路２０３と、パイロット信号の複数のキャリア配置パターンを発生するパターン発生回路２０６０と、パターン発生回路２０６０の複数のキャリア配置パターンに基づいてシンボル間平均回路２０３の出力の相関を検出する相関検出回路２０４０と、複数(図６では８個)のセグメントのうちの最初(第１)のセグメントについて、相関検出回路２０４０からの相関検出結果に基づいて、複数(図６では４３２本)のサブキャリアにおけるパイロットキャリアの配置が、パターン０，１，２のどのパターンに該当するかを判定するパイロット配置判定回路２０５０と、同様に第２のセグメントについて、相関検出回路２０４１からの相関検出結果に基づいて、複数(図６では４３２本)のサブキャリアにおけるパイロットキャリアの配置が、パターン０，１，２のどのパターンに該当するかを判定するパイロット配置判定回路２０５１と、同様に第ｎ(図６では８)のセグメントについて、相関検出回路２０４７(図示略)からの相関検出結果に基づいて、複数(図６では４３２本)のサブキャリアにおけるパイロットキャリアの配置が、パターン０，１，２のどのパターンに該当するかを判定するパイロット配置判定回路２０５７(図示略)と、パイロット配置判定回路２０５０〜２０５７からの８個のセグメントについてのパターン０，０，０，０，１，０，２，０(例えば図６の場合)の並びを示すパイロット配置情報を生成して出力すると共に、５個の１セグメント信号と１個の３セグメント信号を有した計６個の総ＴＳデータ数(総チャンネル数)を示すセグメント配置情報を生成して出力するセグメント配置判定回路２０７と、パイロット配置情報の出力端子２０８と、セグメント配置情報の出力端子２０９と、を備えている。
【００２９】
パイロット配置判定回路２０５０〜２０５７とセグメント配置判定回路２０７とは、相関検出回路２０４０の複数のパターンの相関検出出力を比較し、受信信号がどのパイロットキャリア配置パターンか(即ちパターン０，１，２のどれか)及び／又は総ＴＳデータ数(即ち総チャンネル数)が何個かを判定するセグメント判定手段を構成している。
【００３０】
以下に、動作を説明する。  
ＦＦＴ回路１０５の出力がパイロット配置検出回路１１１の遅延検波回路２０２に供給される。遅延検波回路２０２では入力された信号が１シンボル間で遅延検波処理されシンボル間平均回路２０３に入力される。シンボル間平均回路２０３ではＩ信号およびＱ信号のそれぞれについてシンボル間で所定のシンボル数分の平均処理が行われる。このときパイロット信号のサブキャリア(即ちパイロットキャリア)は無変調のためシンボル間で平均しても信号がキャンセルされることはないが、データを送信しているサブキャリアはデジタル変調されているため、シンボル間で平均処理するとこのデジタル変調成分により符号反転した信号を平均することとなりキャンセルされてしまう。これにより、パイロットキャリア配置情報が検出される。パイロットキャリア配置情報とは、各セグメントにおけるパイロット信号のサブキャリア配置を示す情報である。
【００３１】
シンボル間平均回路２０３の出力は受信セグメント数(例えば８個)に分岐してセグメントごとに相関検出回路２０４０、相関検出回路２０４１、……相関検出回路２０４７に入力される。例えば相関検出回路２０４０には、さらにパターン発生回路２０６０から予め用意してあるパイロットキャリア配置情報が供給される。
【００３２】
相関検出回路２０４０ではサブキャリア位置をずらしながらパターン発生回路２０６０からのサブキャリア配置情報に基づいて相関検出を行う。相関検出結果を示す出力はパイロットキャリア配置と一致したところでピーク値を持つ。このとき例えば単一階層（１セグメント信号）のパイロットキャリア配置情報に基づく相関検出とさらに２階層伝送(３セグメント信号)のパイロットキャリア配置情報のそれぞれに基づいて相関検出を行う。これらの相関検出結果は、パイロット配置判定回路２０５０に入力される。
【００３３】
パイロット配置判定回路２０５０ではそれぞれのサブキャリア配置情報に基づいて検出されたそれぞれの相関検出結果出力のピーク値の大きさを比較し、受信信号はそのピーク値が最大のもののセグメント信号と判定してセグメント判定結果を出力する。このセグメント判定結果とは、８個のセグメントのうちの最初のセグメントのパイロットキャリアの配置パターンがパターン０，１，２のうちのどれかを示すものであり、図６の場合であればパターン０がセグメント判定結果となる。同様にしてパイロット配置判定回路２０５１〜２０５７における各セグメントで判定したセグメント判定結果は並列的にセグメント配置判定回路２０７に供給される。セグメント配置判定回路２０７では、セグメント判定結果を基に出力端子２０８からＴＭＣＣ復号回路１１２へパイロット配置情報(例えば図６における８個のセグメントについてのパターン０，０，０，０，１，０，２，０の並び)を出力し、さらに図示しないホストＣＰＵにセグメント配置情報を出力する。ホストＣＰＵではパイロット配置判定回路２０５０〜２０５７からの複数のセグメント配置情報に基づいて、受信している総ＴＳデータ数を計算して後段のバックエンド処理部へ供給する。これによってバックエンド処理部では最適なデコード処理を行うことができる。なお、セグメント配置判定回路２０７は、パイロット配置判定回路２０５０〜２０５７からの複数のセグメント配置情報に基づいて、受信している総ＴＳデータ数を計算して出力端子２０９から直接後段のバックエンド処理部へ供給するようにしてもよい。
【００３４】
なお、図２(又は次に述べる図３でもよい)のパイロット配置検出回路１１１におけるセグメント配置判定回路２０７の出力端子２０８から出力されるパイロット配置情報は、図１のＴＭＣＣ復号回路１１２へ供給されている。このとき、ＴＭＣＣ復号回路１１２は、受け取ったパイロット配置情報のセグメント毎のパターンが０，１，２のうちのどのパターンかを知ることによって各パターンに対応したＴＭＣＣやＡＣのパイロットキャリア配置、即ちセグメントを構成する４３２本のサブキャリアのうちパイロットキャリアが何番目にあるかという位置情報を得ることができる。ＴＭＣＣ復号回路１１２は、この位置情報に基にＦＦＴ回路１０５から出力される周波数領域の信号からＴＭＣＣ信号を取り出す(即ち復号する)ことができる。
【００３５】
図３は、図２のパイロット配置検出回路１１１の他の構成例を示すブロック図である。なお、図２と同一のものについては同一符号を付して説明は省略し、異なる部分について説明する。  
この構成例では、無変調のパイロット信号の代わりに所定のサブキャリアでＢＰＳＫ（二相位相変調）或いはＤＢＰＳＫ（二相差動位相変調）された信号が受信され、その他のデータキャリアはＱＰＳＫ（四相位相変調）以上の多値でデジタル変調されたＯＦＤＭ変調信号を受信するＯＦＤＭ受信装置に用いられるパイロット配置検出回路の例である。
【００３６】
遅延検波回路２０２の出力は、変調除去手段としての２乗回路３０８に供給される。２乗回路３０８は、入力信号の複素の２乗演算を行なう。演算結果は、シンボル間平均回路２０３に供給される。２乗回路３０８は、複素の２乗演算によりＢＰＳＫの変調除去が行われるため、以後の回路では無変調の信号と同様に扱うことができる。以下は図２の構成例と同様にしてパイロット配置情報及びセグメント配置情報の各出力を得る。
【００３７】
第１の実施形態によれば、受信信号のセグメント毎のパイロットキャリア配置パターンを検出して総ＴＳデータ数の情報を生成することができ、後段のバックエンド処理部で受信信号に応じて最適な信号処理が可能となり、信号処理時間の短縮及び消費電力の低減を図ることが可能となる。
【００３８】
［第２の実施形態］
図４は本発明の第２の実施形態のＯＦＤＭ受信装置の構成を示すブロック図である。なお、図１と同一のものについては同一符号を付して説明は省略し、異なる部分について説明する。
【００３９】
この実施形態では、パイロット配置検出回路３１１では受信信号のセグメントごとにパイロットキャリア配置を検出して１セグメント信号か３セグメント信号かを判定し、ＴＭＣＣ復号回路３１２にＴＭＣＣキャリア配置を知らせるためのパイロット配置情報を出力する。ＴＭＣＣ復号回路３１２でセグメントごとにＴＭＣＣキャリアを復号してＴＭＣＣ情報を得る。ＴＭＣＣ情報とは、セグメントを構成する４３２本のサブキャリアのうちＴＭＣＣキャリアが何番目にあるかという位置情報をいう。そして、ＴＭＣＣ復号回路３１２は、セグメントごとのＴＭＣＣ情報を基に８個のセグメントごとにパターン０，１，２のうちのいずれのパターンかを検出し、１セグメント信号か３セグメント信号かを判定することによって、受信セグメント全体の総ＴＳデータ数を表すセグメント配置情報を求めて出力端子１１３から図示しないホストＣＰＵもしくはバックエンド処理部へ出力する。このときもバックエンド処理部で総ＴＳデータ数を把握できるのでそれに応じた信号処理を行うことができる。
【００４０】
図５は図４におけるパイロット配置検出回路３１１の一構成例を示すブロック図である。なお、図２と同一のものについては同一符号を付して説明は省略し、異なる部分について説明する。  
この構成例では、セグメント配置判定回路４０７において各セグメントのセグメント判定結果からＴＭＣＣ復号回路３１２で使用するパイロット配置情報を求めてパイロット配置情報のみを出力する。ＴＭＣＣ復号回路３１２では、パイロット配置情報に基づいてＴＭＣＣ信号を復号する一方、受信セグメント全体の総ＴＳデータ数を表すセグメント配置情報を生成することができる。
【００４１】
なお、図５の構成例についても、パイロット信号のサブキャリアが無変調である代わりに、所定のサブキャリアでＢＰＳＫ（二相位相変調）或いはＤＢＰＳＫ（二相差動位相変調）された信号が受信され、その他のデータキャリアはＱＰＳＫ（四相位相変調）以上の多値でデジタル変調されたＯＦＤＭ変調信号を受信するＯＦＤＭ受信装置である場合には、図３の例と同様に、遅延検波回路２０２とシンボル間平均回路２０３との間に、変調除去手段としての２乗回路３０８を配設することによって、複素の２乗演算によりＢＰＳＫの変調除去が行われるため、以後の回路では無変調の信号と同様に扱うことができる。そして、図５の構成例と同様にしてパイロット配置情報出力を得ることができる。
【００４２】
以上述べた実施形態では、１セグメント信号か３セグメント信号かを判定するようにパイロット配置検出回路の例を示したがこれに限らず、任意の異なるセグメント数の信号が混在する連結送信信号でも同様の効果を得ることができる。また、パイロット配置検出回路において相関検出回路、パターン発生回路、パイロット配置判定回路を受信セグメント数分持つように説明したが、これら３つの回路のそれぞれ１つの回路を時分割で切り替えながら判定することもできる。
【００４３】
第２の実施形態によれば、受信信号のセグメント毎のパイロットキャリア配置パターンを検出して総ＴＳデータ数の情報を生成することができ、後段のバックエンド処理部で受信信号に応じて最適な信号処理が可能となり、信号処理時間の短縮及び消費電力の低減を図ることが可能となる。
【００４４】
以上述べたように本発明によれば、セグメント数が異なる複数の周波数帯域幅の信号が連結送信されたＯＦＤＭ信号をまとめて受信する場合に、セグメント配置が未知な状態でもセグメント配置情報を検出してバックエンド処理部に総ＴＳデータ数を通知することにより、総ＴＳデータ数に応じた信号処理を行うことが可能となり、冗長な信号処理による処理時間及び消費電力の増大を抑制することが可能となる。
【図面の簡単な説明】
【００４５】
【図１】本発明の第１の実施形態のＯＦＤＭ受信装置を示すブロック図。
【図２】図１におけるパイロット配置検出回路の一構成例を示すブロック図。
【図３】図１におけるパイロット配置検出回路の他の構成例を示すブロック図。
【図４】本発明の第２の実施形のＯＦＤＭ受信装置態を示すブロック図。
【図５】図４におけるパイロット配置検出回路の一構成例を示すブロック図。
【図６】デジタル地上放送におけるＯＦＤＭ信号の一例を説明する図。
【符号の説明】
【００４６】
１００，１００Ａ…ＯＦＤＭ受信装置
１０２…チューナ
１０４…直交検波回路
１０５…ＦＦＴ回路
１０６…データ復調回路
１０７…誤り訂正回路
１１０…同期再生回路
１１１…パイロット配置検出回路
１１２…ＴＭＣＣ復号回路
【図１】
2010148018.tif 000003
【図２】
2010148018.tif 000004
【図３】
2010148018.tif 000005
【図４】
2010148018.tif 000006
【図５】
2010148018.tif 000007
【図６】
2010148018.tif 000008